(57)【要約】【課題】ＩＴ資産の固定資産情報とＳ／Ｗ資産情報とを正確に対応づける。【解決手段】棚卸時に、資産管理用ＰＣ１０が、ＲＦＩＤリーダ／ライタ装置２０を介して、ＲＦＩＤタグ３０に資産情報の送信を要求し、ＲＦＩＤタグがＩＴ資産４０からＳ／Ｗ資産情報を受信し、予め固定資産情報格納メモリ３３に格納している固定資産情報と、受信したＳ／Ｗ資産情報を資産管理用ＰＣ１０に送信し、資産管理用ＰＣ１０が固定資産情報とＳ／Ｗ資産情報とを対応づけてＩＴ資産管理サーバ５０に送信し、ＩＴ資産管理サーバ５０では固定資産情報とＳ／Ｗ資産情報を対応づけて管理する。【選択図】図１
2009199210.tif 000002
【特許請求の範囲】
【請求項１】
ＩＣ（Ｉｎｔｅｇｒａｔｅｄ  Ｃｉｒｃｕｉｔ）タグと、
前記ＩＣタグと通信する情報収集装置とを有する通信システムであって、
前記ＩＣタグは、
情報機器に接続され、前記情報機器の識別情報が含まれる固定資産情報を送信するとともに、前記情報機器が情報処理に利用しているリソースが示されるリソース情報を送信し、
前記情報収集装置は、
前記ＩＣタグから固定資産情報とリソース情報を受信することを特徴とする通信システム。
【請求項２】
前記情報収集装置は、
情報機器の固定資産としての管理と情報機器が利用しているリソースの管理に用いられる機器管理装置に接続されており、
前記ＩＣタグから受信した固定資産情報とリソース情報を相互に対応付けて前記機器管理装置に送信することを特徴とする請求項１に記載の通信システム。
【請求項３】
前記情報収集装置は、
前記ＩＣタグから、前記情報機器の固定資産情報とリソース情報を受信するとともに、
前記情報機器が配置されている設備に取付けられている設備ＩＣタグから、前記情報機器が配置されている設備の識別情報を受信し、
前記情報機器の固定資産情報とリソース情報と設備の識別情報とを相互に対応付けることを特徴とする請求項１又は２に記載の通信システム。
【請求項４】
前記ＩＣタグは、
固定資産情報を予め記憶しており、
前記情報機器にて情報処理に利用しているリソースに変更が生じる度に、リソースの変更の前後における差分を示す差分リソース情報を前記情報機器から入力し、
記憶している固定資産情報と前記情報機器から入力した差分リソース情報を送信することを特徴とする請求項１〜３のいずれかに記載の通信システム。
【請求項５】
前記情報収集装置は、
固定資産情報とリソース情報の送信要求を前記ＩＣタグに対して送信し、
前記ＩＣタグは、
固定資産情報を予め記憶しており、
前記情報収集装置からの送信要求を受信したときに、前記情報機器に対してリソース情報の出力を要求するとともに前記情報機器から出力されたリソース情報を入力し、
記憶している固定資産情報と前記情報機器から入力したリソース情報を送信することを特徴とする請求項１〜３のいずれかに記載の通信システム。
【請求項６】
前記情報収集装置は、
リソース情報の出力要求を前記ＩＣタグに対して送信して前記ＩＣタグに設けられている出力要求フラグをオンにし、前記出力要求フラグのオン設定後に、所定のタイミングで前記ＩＣタグに設けられている読み込み可能フラグの値を確認し、前記読み込み可能フラグがオンになっていることを検出した場合に、固定資産情報とリソース情報の送信要求を前記ＩＣタグに対して送信して、前記ＩＣタグから固定資産情報とリソース情報を受信し、
前記ＩＣタグは、
固定資産情報を予め記憶しており、
前記出力要求フラグがオンになっていることを検出した前記情報機器から出力されたリソース情報を入力するとともに、前記情報機器により前記読み込み可能フラグがオンにされ、前記読み込み可能フラグがオンになっていることを検出した前記情報収集装置からの送信要求に従い、記憶している固定資産情報と前記情報機器から入力したリソース情報を送信することを特徴とする請求項１〜３のいずれかに記載の通信システム。
【請求項７】
前記情報収集装置は、
リソース情報の出力要求を前記ＩＣタグに対して送信して前記ＩＣタグに設けられている出力要求フラグをオンにし、前記出力要求フラグのオン設定後に、所定のタイミングで前記ＩＣタグに設けられている読み込み可能フラグの値を確認し、前記読み込み可能フラグがオンになっていることを検出した場合に、固定資産情報とリソース情報の送信要求を前記ＩＣタグに対して送信して、前記ＩＣタグから固定資産情報と、リソース情報の一部を構成する部分リソース情報を受信し、
前記ＩＣタグは、
固定資産情報を予め記憶しており、
前記出力要求フラグがオンになっていることを検出した前記情報機器から出力された部分リソース情報を入力するとともに、前記情報機器により前記読み込み可能フラグがオンにされ、前記読み込み可能フラグがオンになっていることを検出した前記情報収集装置からの送信要求に従い、記憶している固定資産情報と前記情報機器から入力した部分リソース情報を送信することを特徴とする請求項１〜３のいずれかに記載の通信システム。
【請求項８】
前記情報収集装置は、
前記ＩＣタグに設けられている完了フラグがオンになっていることを検出するまで、前記出力要求を前記ＩＣタグに対して送信して前記出力要求フラグをオンにし、
前記ＩＣタグは、
前記情報機器から最後の部分リソース情報を入力した際に、前記情報機器により前記読み込み可能フラグと前記完了フラグがオンにされることを特徴とする請求項１〜３のいずれかに記載の通信システム。
【請求項９】
ＩＣ（Ｉｎｔｅｇｒａｔｅｄ  Ｃｉｒｃｕｉｔ）タグが接続されている情報機器と、前記ＩＣタグと通信する情報収集装置とを有し、前記情報機器及び前記情報収集装置が、前記情報機器の固定資産としての管理と前記情報機器が情報処理に利用しているリソースの管理に用いられる機器管理装置に接続されている通信システムであって、
前記情報収集装置は、
前記ＩＣタグから前記情報機器の識別情報が含まれる固定資産情報を受信するとともに受信した固定資産情報を前記機器管理装置に対して送信し、前記ＩＣタグを介して前記情報機器に対して、前記情報機器が情報処理に利用しているリソースが示されるリソース情報を前記機器管理装置に送信するよう指示し、
前記情報機器は、
前記ＩＣタグを介して、前記情報収集装置からの指示を入力し、前記情報処理装置からの指示に基づき、リソース情報を前記機器管理装置に対して送信することを特徴とする通信システム。
【請求項１０】
前記情報機器は、
前記情報機器の識別情報とリソース情報を前記機器管理装置に対して送信することを特徴とする請求項９に記載の通信システム。
【請求項１１】
前記情報収集装置は、
前記ＩＣタグから、前記情報機器の固定資産情報を受信するとともに、前記情報機器が配置されている設備に取付けられている設備ＩＣタグから、前記情報機器が配置されている設備の識別情報を受信し、前記機器管理装置に対して固定資産情報と設備の識別情報を送信することを特徴とする請求項９又は１０に記載の通信システム。
【請求項１２】
情報機器に接続されているＩＣ（Ｉｎｔｅｇｒａｔｅｄ  Ｃｉｒｃｕｉｔ）タグと通信し、前記情報機器の識別情報が含まれる固定資産情報を前記ＩＣタグから受信するとともに、前記情報機器が情報処理に利用しているリソースが示されるリソース情報を前記ＩＣタグから受信するタグ通信部と、
前記タグ通信部により受信された固定資産情報とリソース情報を相互に対応づけて記憶する情報記憶部とを有することを特徴とする情報収集装置。
【請求項１３】
前記タグ通信部は、
前記ＩＣタグから、前記情報機器の固定資産情報とリソース情報を受信するとともに、
前記情報機器が配置されている設備に取付けられている設備ＩＣタグから、前記情報機器が配置されている設備の識別情報を受信し、
前記情報記憶部は、
前記情報機器の固定資産情報とリソース情報と設備の識別情報とを相互に対応づけて記憶することを特徴とする請求項１２に記載の情報収集装置。
【請求項１４】
前記情報収集装置は、
情報機器の固定資産としての管理と情報機器が利用しているリソースの管理に用いられる機器管理装置に接続されており、
前記ＩＣタグから受信した固定資産情報とリソース情報を相互に対応付けて前記機器管理装置に送信することを特徴とする請求項１２又は１３に記載の情報収集装置。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）タグ等のＩＣ（Ｉｎｔｅｇｒａｔｅｄ  Ｃｉｒｃｕｉｔ）タグを用いてＩＴ（Ｉｎｆｏｒｍａｔｉｏｎ  Ｔｅｃｈｎｏｌｏｇｙ）資産等を管理する技術に関する。
【背景技術】
【０００２】
ＰＣ（Ｐｅｒｓｏｎａｌ  Ｃｏｍｐｕｔｅｒ）などのＩＴ資産の管理については、従来の固定資産情報の管理だけではなく、ＩＴ資産にインストールされているＳ／Ｗ（Ｓｏｆｔ  Ｗａｒｅ）やＩＴ資産が利用しているＨ／Ｗ（Ｈａｒｄ  Ｗａｒｅ）を含むリソース資産情報の管理も求められている。
従来これらの管理はそれぞれ別々のシステムで実施されていた。
このような例が特許文献１に記載されている。
【特許文献１】特開２００６−１３９３５９号公報
【発明の開示】
【発明が解決しようとする課題】
【０００３】
しかしながら、従来の方式ではそれぞれの資産の棚卸しを別々に実施する必要があった。
また、Ｓ／Ｗ等のリソース資産管理では、固定資産情報の固定資産番号をキーとして管理する必要があるがこの情報はユーザが入力する必要があり、入力ミスなどにより実際の固定資産情報とリソース資産の情報が厳密に結びつかない場合があった。
【０００４】
この発明は、上記のような課題を解決することを主な目的の一つとしており、固定資産情報とリソース資産の情報とを正確に対応づけることができる仕組みを提供することを主な目的とする。
【課題を解決するための手段】
【０００５】
本発明に係る通信システムは、
ＩＣ（Ｉｎｔｅｇｒａｔｅｄ  Ｃｉｒｃｕｉｔ）タグと、
前記ＩＣタグと通信する情報収集装置とを有する通信システムであって、
前記ＩＣタグは、
情報機器に接続され、前記情報機器の識別情報が含まれる固定資産情報を送信するとともに、前記情報機器が情報処理に利用しているリソースが示されるリソース情報を送信し、
前記情報収集装置は、
前記ＩＣタグから固定資産情報とリソース情報を受信することを特徴とする。
【発明の効果】
【０００６】
本発明によれば、固定資産情報の収集とともにリソース情報を収集するため、固定資産情報とリソース情報とを正確に対応づけることができる。
【発明を実施するための最良の形態】
【０００７】
実施の形態１．
本実施の形態では、ＲＦＩＤタグとＩＴ資産を接続することにより固定資産の棚卸し時にＲＦＩＤタグ経由でリソース情報を読出すことにより、固定資産管理とリソース資産の管理を同時に行うことを可能とするものである。
また固定資産情報が格納されたＲＦＩＤタグとＩＴ資産が直接接続することにより固定資産に紐付けられたリソース情報を管理することも可能とするものである。
なお、リソースとは情報機器であるＩＴ資産において情報処理に用いられているリソースを意味し、リソースには、ＩＴ資産にインストールされているＳ／Ｗ、ＩＴ資産が搭載しているＣＰＵ（Ｃｅｎｔｒａｌ  Ｐｒｏｃｅｓｓｉｎｇ  Ｕｎｉｔ）、メモリ、磁気ディスク装置、通信カード等のＨ／Ｗ、ＩＴ資産に設定されている通信アドレス等のパラメータを含む。
そして、リソース情報とは、これらＳ／Ｗ、Ｈ／Ｗ、パラメータの属性を示す情報である。
リソース情報は、Ｓ／Ｗについては、例えば、Ｓ／Ｗの名称、バージョン、ベンダ名、ライセンス番号、更新日等が示され、また、Ｈ／Ｗについては、例えば、ＣＰＵ、メモリ、磁気ディス、通信カード等の型番、ＣＰＵの動作周波数、メモリ、磁気ディスク装置の記憶容量、通信カードのＭＡＣ（Ｍｅｄｉａ  Ａｃｃｅｓｓ  Ｃｏｎｔｒｏｌ）アドレス等が示され、パラメータについてはＩＴ資産に設定されているＩＰ（Ｉｎｔｅｒｎｅｔ  Ｐｒｏｔｏｃｏｌ）アドレス、電子メールアドレス等が示される。
以下では、Ｓ／Ｗをリソースの例とし、Ｓ／Ｗ資産情報をリソース情報の例として説明する。
【０００８】
図１は実施の形態１における資産管理システムのブロック図である。
資産管理用ＰＣ１０は、資産棚卸し時に、ＲＦＩＤリーダ／ライタ装置２０を介して、ＩＴ資産４０に接続されているＲＦＩＤタグ３０に記憶された固定資産情報とＩＴ資産に格納されたＳ／Ｗ資産情報を読出し、読み出した固定資産情報とＳ／Ｗ資産情報を相互に対応付けてＩＴ資産管理サーバ５０に送信する。より具体的には、固定資産情報に含まれている固定資産番号（固定資産の識別情報）とＳ／Ｗ資産情報とを対応付ける。
また、資産管理用ＰＣ１０は、ＩＴ資産管理サーバ５０の固定資産情報ＤＢ５１とＳ／Ｗ資産情報ＤＢ５２の情報の更新を指示する。
資産管理用ＰＣ１０は、情報収集装置の例である。
【０００９】
資産管理用ＰＣ１０において、ＲＦＩＤリーダ／ライタ制御部１３はＲＦＩＤリーダ／ライタ装置２０を制御しＲＦＩＤタグ３０経由で固定資産情報やＳ／Ｗ資産情報を読出す。ＲＦＩＤリーダ／ライタ制御部１３はタグ通信部の例である。
ＩＴ資産管理部１２は、ＲＦＩＤリーダ／ライタ制御部１３を用いて固定資産情報やＳ／Ｗ資産情報を取得し、ＩＴ資産管理サーバ５０の固定資産情報ＤＢ、Ｓ／Ｗ資産情報ＤＢと照合を実施し、実際の固定資産情報、Ｓ／Ｗ資産情報の棚卸し管理を行う。
表示部１１は、固定資産、Ｓ／Ｗ資産の棚卸し状況を表示する。
情報記憶部１４は、ＲＦＩＤタグ３０から取得した固定資産情報及びＳ／Ｗ資産情報を相互に対応付けて一時的に記憶し、また、各種制御情報を記憶する。
ネットワーク通信部１５は、ネットワーク６０を通じてＩＴ資産管理サーバ５０と通信する。
【００１０】
ＲＦＩＤリーダ／ライタ装置２０は、ＬＡＮ（Ｌｏｃａｌ  Ａｒｅａ  Ｎｅｔｗｏｒｋ）、ＲＳ２３２Ｃ、ＵＳＢ（Ｕｎｉｖｅｒｓａｌ  Ｓｅｒｉａｌ  Ｂｕｓ）などの通信手段で固定資産管理用ＰＣ１０と接続され、ＲＦＩＤリーダ／ライタ制御部１３の指令によりＲＦＩＤタグ３０のデータを読み書きする。
【００１１】
ＲＦＩＤタグ３０（ＩＣタグ）は、ＵＳＢ、ＲＳ２３２Ｃなどの通信手段でＩＴ資産４０と接続され、ＲＦＩＤリーダ／ライタ装置２０を介して資産管理用ＰＣ１０に固定資産情報とＳ／Ｗ資産情報を送信する。
ＲＦＩＤタグ３０において、ＲＦＩＤ通信部３１は、ＲＦＩＤリーダ／ライタ装置２０と通信を行う。
固定資産情報格納メモリ３３には、予め固定資産情報が書き込まれている。
Ｓ／Ｗ資産情報格納メモリ３２は、ＩＴ資産４０から読み込んだＳ／Ｗ資産情報を一時的に格納する。
ＩＴ資産通信部３４は、ＩＴ資産４０から、ＩＴ資産４０にインストールされているＳ／Ｗ資産情報（ライセンス情報など）などを読み出す。
【００１２】
ＩＴ資産４０は、ＰＣ等の情報機器である。
ＩＴ資産４０において、ＲＦＩＤタグ通信部４３は、ＲＦＩＤタグ３０と通信する。
Ｓ／Ｗ資産管理部４１は、ＲＦＩＤタグ３０からの指示によりＳ／Ｗ資産情報格納ＤＢ４２からＳ／Ｗ資産情報を読出してＲＦＩＤタグ通信部４３を介してＲＦＩＤタグ３０に送信したり、ＩＴ資産４０にインストールされているＳ／Ｗの情報をメンテナンスする。
Ｓ／Ｗ資産情報格納ＤＢ（Ｄａｔａｂａｓｅ）４２は、Ｓ／Ｗ資産情報を保存する。
【００１３】
ＩＴ資産管理サーバ５０は、固定資産情報とＳ／Ｗ資産情報を管理する。
ＩＴ資産管理サーバ５０は、機器管理装置の例である。
ＩＴ資産管理サーバ５０において、固定資産情報ＤＢ５１は、複数のＩＴ資産４０の固定資産情報を格納する。
Ｓ／Ｗ資産情報ＤＢ５２は、複数のＩＴ資産４０のＳ／Ｗ資産情報を格納する。
なお、ＩＴ資産管理サーバ５０において、同一のＩＴ資産４０の固定資産情報とＳ／Ｗ資産情報とは相互に対応付けられて固定資産情報ＤＢ５１とＳ／Ｗ資産情報ＤＢ５２に格納されている。
また、通信部５３はネットワーク６０を介して資産管理用ＰＣ１０と通信を行う。
【００１４】
図３は、ＩＴ資産管理サーバ５０の固定資産情報ＤＢ５１に記憶されている情報を示す。
固定資産情報ＤＢ５１では、図３に示すように、複数のＩＴ資産４０の固定資産情報が格納されている。
図５は、ＲＦＩＤタグ３０の固定資産情報格納メモリ３３に格納されているＩＴ資産４０の固定資産情報の例を示す。固定資産情報には、ＩＴ資産の識別情報である固定資産番号が含まれる。資産管理用ＰＣ１０では、固定資産情報に含まれる情報のうち少なくとも固定資産番号とＳ／Ｗ資産情報とを対応付けて、ＩＴ資産管理サーバ５０に送信する。また、図５に示す実施フラグは、棚卸の実施有無を示す。
図５に例示される固定資産情報が複数のＲＦＩＤタグ３０から資産管理用ＰＣ１０を経由してＩＴ資産管理サーバ５０に提供され、ＩＴ資産管理サーバ５０では、図５の固定資産情報に示される固定資産番号、タグＩＤと固定資産情報ＤＢ５１の各レコードに示される固定資産番号、タグＩＤとを比較し、一致するレコードを抽出し、抽出したレコードに対して棚卸確認日、棚卸確認者等が更新される。棚卸確認者は、資産管理用ＰＣ１０のＩＰアドレス等から判別可能である。
【００１５】
図４は、ＲＦＩＤタグ３０のＳ／Ｗ資産情報格納メモリ３２に格納されるＩＴ資産４０のＳ／Ｗ資産情報の例を示す。
そして、図４に示すＳ／Ｗ資産情報が固定資産情報に含まれる固定資産番号と対応付けられてＳ／Ｗ資産情報ＤＢ５２に格納される。
つまり、図４に例示されるＳ／Ｗ資産情報が複数のＲＦＩＤタグ３０から資産管理用ＰＣ１０を経由してＩＴ資産管理サーバ５０に提供され、Ｓ／Ｗ資産情報ＤＢ５２においてＩＴ資産ごとに分類されてＳ／Ｗ資産情報が管理される。
【００１６】
次に、本実施の形態に係る資産管理システムの動作を図２のフローチャートに従って説明する。
ユーザの指示に従い資産管理処理が開始され、資産管理用ＰＣ１０のＩＴ資産管理部１２が、ＲＦＩＤリーダ／ライタ制御部１３、ＲＦＩＤリーダ／ライタ装置２０を中継してＲＦＩＤタグ３０に資産情報読出し指示が通知される。（Ｓ１０）。
次に、ＲＦＩＤ通信部３１を介して、ＲＦＩＤリーダ／ライタ装置２０より読出し指示を受けたＲＦＩＤタグ３０は、タグ内に保有している固定資産情報格納メモリ３３の情報を読み出すと同時に、ＩＴ資産通信部３４を介して、ＩＴ資産４０に対してＳ／Ｗ資産情報の読出し処理を指示する。（Ｓ３０）。
このＳ／Ｗ資産情報の読出し処理は、例えば、特開２００７−３１７０７１号公報に記載の方法により実現可能である。
具体的には、ＲＦＩＤタグ３０内に、ＩＴ資産４０にＳ／Ｗ資産情報の送信を指示するコマンドを保持し、ＲＦＩＤリーダ／ライタ装置２０より読出し指示を受けた際に、当該コマンドをＩＴ資産通信部３４からＩＴ資産４０に送信する。
【００１７】
Ｓ／Ｗ資産情報の読出し処理を指示されたＩＴ資産４０は、Ｓ／Ｗ資産管理部４１によりＳ／Ｗ資産情報格納ＤＢ４２からＳ／Ｗ資産情報を読出し、ＲＦＩＤタグ通信部４３がＳ／Ｗ資産情報をＲＦＩＤタグ３０に送信する（Ｓ４０）。
なお、ＩＴ資産４０では、別途定期更新時やＩＴ資産４０起動時にＳ／Ｗ資産管理部４１がＳ／Ｗ資産を確認し、最新の状態に更新し、Ｓ／Ｗ資産情報格納ＤＢ４２には最新のＳ／Ｗ資産情報が格納されている。
また、ＲＦＩＤタグ３０からＳ／Ｗ資産情報読出し処理を指示されたときに、Ｓ／Ｗ資産管理部４１がＳ／Ｗ資産状況を調査し、最新の情報への更新を実施してもよい。
【００１８】
ＲＦＩＤタグ３０は、ＩＴ資産４０より受信したＳ／Ｗ資産情報を一旦Ｓ／Ｗ資産情報格納メモリ３２に格納した後、固定資産情報及びＳ／Ｗ資産情報をＲＦＩＤリーダ／ライタ装置２０を経由して資産管理用ＰＣ１０に送信する（ステップ３１）。
なお、Ｓ／Ｗ資産情報格納メモリ３２に格納することなく、直接資産管理用ＰＣ１０に送信する方式も考えられる。この場合は、ＩＴ資産通信部３４の受信バッファに一時的にＳ／Ｗ資産情報を記憶するとともに、ＲＦＩＤ通信部３１が受信バッファからＳ／Ｗ資産情報を送信する。
【００１９】
固定資産情報及びＳ／Ｗ資産情報を受信した固定資産管理用ＰＣ１０は、固定資産情報及びＳ／Ｗ資産情報を相互に対応付けて情報記憶部１４に一時的に記憶するとともに、ネットワーク通信部１５が、固定資産情報とＳ／Ｗ資産情報を対応付けてＩＴ資産管理サーバ５０に送信し、更新処理を指示する（ステップ１１）。
ＩＴ資産管理サーバ５０では、通信部５３において固定資産情報とＳ／Ｗ資産情報を受信するとともに、更新指示に従い、固定資産情報ＤＢ５１とＳ／Ｗ資産情報ＤＢ５２の該当する固定資産情報とＳ／Ｗ資産情報を更新する（ステップ５０）。
【００２０】
このように、本実施の形態によれば、固定資産情報の収集と同時にＳ／Ｗ情報を収集し、両者を対応づけてＩＴ資産管理サーバに送信するため、固定資産情報とＳ／Ｗ資産情報とを正確に対応づけることができる。
【００２１】
なお、上記の説明では、ＲＦＩＤタグ３０には図５に示す固定資産情報が格納され、資産管理用ＰＣ１０を介してＩＴ資産管理サーバ５０に送信されることとしたが、例えば、固定資産番号、タグＩＤ、実施フラグとともに、図３の各レコードに示される品名、型名、製造会社、製造番号、設置場所、管理部門の情報がＲＦＩＤタグ３０に格納され、資産管理用ＰＣ１０を介してＩＴ資産管理サーバ５０に送信されるようにしてもよい。
【００２２】
以上、本実施の形態では、以下の構成要素を備え、固定資産棚卸し実施時に、資産管理用ＰＣの要求に従い固定資産情報とＳ／Ｗ資産情報を読出し、ＩＴ資産管理サーバの固定資産情報ＤＢとＳ／Ｗ資産情報ＤＢと照合することにより、固定資産及びＳ／Ｗ資産の棚卸しを行う資産管理システムについて説明した。
（ａ）ＲＦＩＤリーダ／ライタと通信するＲＦＩＤ通信部とＩＴ資産の固定資産情報を格納する固定資産情報格納メモリとＵＳＢやＲＳ２３２Ｃなどで接続されたＩＴ資産と通信を行いＩＴ資産に格納されたＳ／Ｗ固定資産情報を読出しＲＦＩＤ通信部を用いてＲＦＩＤリーダ／ライタに送信するＩＴ資産通信部を持つＲＦＩＤタグ、
（ｂ）ＩＴ資産にインストールされている各種Ｓ／Ｗの情報を格納するＳ／Ｗ資産情報格納ＤＢとＳ／Ｗ資産情報を管理・更新・削除・作成するＳ／Ｗ資産管理部を持つＩＴ資産、
（ｃ）ＲＦＩＤタグからデータの読出し、書込みを行ない、ＬＡＮやＲＳ２３２ＣやＵＳＢなどの通信手段でその情報を資産管理用ＰＣとの間で送受信するＲＦＩＤリーダ／ライタ装置、
（ｄ）ＲＦＩＤリーダ／ライタ装置を制御しＲＦＩＤタグよりデータの読出し、書込みを行うＲＦＩＤリーダ／ライタ制御部とＲＦＩＤリーダ／ライタ制御部を用いてＲＦＩＤタグ経由でＩＴ資産の固定資産情報やＳ／Ｗ資産情報を管理するＩＴ資産管理部１２とそれらの情報を表示する表示部をもつ資産管理用ＰＣ、
（ｅ）複数のＩＴ資産の固定資産情報を格納する固定資産情報ＤＢと複数のＩＴ資産のＳ／Ｗ資産情報を格納するＳ／Ｗ資産情報ＤＢを持つＩＴ資産管理サーバ。
【００２３】
実施の形態２．
実施の形態１に示す方式では、資産管理用ＰＣ１０から読出し処理の要求があった際に、ＲＦＩＤタグ３０がＩＴ資産４０にＳ／Ｗ資産情報の出力を要求している。この場合は、ＩＴ資産４０の電源がオンになっていないとＲＦＩＤタグ３０はＳ／Ｗ資産情報を取得することができない。
しかしながら、棚卸時にＩＴ資産４０が電源オフとなっていることもある。
そこで、本実施の形態では、棚卸しに先立ち、Ｓ／Ｗ資産に変更がある度に、ＩＴ資産４０がＲＦＩＤタグ３０に変更のあったＳ／Ｗ資産について変更の前後における差分を示す差分情報（差分リソース情報）を出力する例を説明する。
【００２４】
図６は、本実施の形態に係る資産管理システムの動作例を示すフローチャート図である。
なお、本実施の形態に係る資産管理システムの構成例は図１に示す通りである。
【００２５】
図６において、ＩＴ資産４０のＳ／Ｗ資産管理部４１は、Ｓ／Ｗ資産の変更を検出すると（Ｓ４１）、変更の前後における差分を抽出し、差分を示す差分情報を生成し、ＲＦＩＤタグ通信部４３を介して差分情報をＲＦＩＤタグ３０に出力する（Ｓ４２）。
ＲＦＩＤタグ３０では、ＩＴ資産通信部３４が差分情報を受信し、Ｓ／Ｗ資産情報格納メモリ３２に格納する。
そして、棚卸時に、資産管理用ＰＣ１０より要求があった場合には（Ｓ１０）、ＲＦＩＤタグ３０では固定資産情報格納メモリ３３に格納されている固定資産情報とＳ／Ｗ資産情報格納メモリ３２に格納されている差分情報をＲＦＩＤ通信部３１がＲＦＩＤリーダ／ライタ装置２０を介して資産管理用ＰＣ１０に送信する（Ｓ３１）。
以降の処理は、実施の形態１と同様である。
【００２６】
このように、本実施の形態によれば、Ｓ／Ｗ資産に変更がある度にＩＴ資産４０からＲＦＩＤタグ３０に差分情報を出力し、ＲＦＩＤタグ３０が差分情報を格納しておくため、棚卸時にＩＴ資産４０にＳ／Ｗ資産情報の出力を要求する必要がなく、棚卸時にＩＴ資産の電源がオフであっても、資産管理用ＰＣ１０にＳ／Ｗ資産情報を提供することができる。
【００２７】
以上、本実施の形態では、ＩＴ資産の電源が入った状態でＩＴ資産のＳ／Ｗ資産管理部が前回のＳ／Ｗ資産情報との差分を抽出しその情報を格納する、ＲＦＩＤタグ内に位置するＳ／Ｗ資産情報格納メモリを備えた資産管理システムについて説明した。
【００２８】
実施の形態３．
本実施の形態では、ＩＴ資産の固定資産情報、Ｓ／Ｗ資産情報とともに、ＩＴ資産が設置されている設備の識別情報を読み取ることにより、ＩＴ資産の設置位置も合わせて管理する例について説明する。
【００２９】
図７は、本実施の形態に係る資産管理システムの構成例を示す。
資産管理用ＰＣ１０、ＲＦＩＤリーダ／ライタ装置２０、ＲＦＩＤタグ３０、ＩＴ資産４０及びネットワーク６０は図１に示したものと同様である。
本実施の形態では、ＩＴ資産管理サーバ５０に、位置情報を格納する位置情報ＤＢ５４が追加されている。
【００３０】
ラック７０はＩＴ資産４０が設置されている棚であり、設備の例である。
ラック７０には、ＩＴ資産が配置され、また、ラック７０の識別情報が格納されているＲＦＩＤタグ７１（設備ＩＣタグ）が貼付されている。なお、本実施の形態では、ラックの識別情報として位置情報を用いている。
また、ＩＴ資産４０は作図上の理由からラック７０の外側に表示されているが、ＩＴ資産４０もラック７０に配置されているものとする。
また、ＩＴ資産７３、７５、７７はＩＴ資産４０と同じ内部構成であり、また、ＲＦＩＤタグ７２、７４、７６もＲＦＩＤタグ３０と同じ内部構成である。
なお、以下では、ＲＦＩＤタグ３０からＩＴ資産４０の固定資産情報及びＳ／Ｗ資産情報を読み取る例を説明するが、他のＩＴ資産７３、７５、７７についても各々のＲＦＩＤタグ７２、７４、７６から固定資産情報及びＳ／Ｗ資産情報を読み取るものとする。
【００３１】
本実施の形態では、図８に示すように、資産管理用ＰＣ１０が、実施の形態１に示した手順にて、ＲＦＩＤタグ３０からＩＴ資産４０の固定資産情報及びＳ／Ｗ資産情報を読み取る（Ｓ１０、Ｓ３０、Ｓ４０、Ｓ３１）とともに、ＲＦＩＤリーダ／ライタ装置２０を介して、ＩＴ資産４０が配置されているラック７０のＲＦＩＤタグ７１と通信を行って位置情報を読み出し（Ｓ７０）、固定資産情報、Ｓ／Ｗ資産情報及び位置情報を相互に対応付けて情報記憶部１４に格納するとともに、ネットワーク通信部１５が固定資産情報、Ｓ／Ｗ資産情報及び位置情報をＩＴ資産管理サーバ５０に送信し（Ｓ１１）、ＩＴ資産管理サーバ５０が固定資産情報、Ｓ／Ｗ資産情報及び位置情報を相互に対応付けて記憶する（Ｓ５０）。
【００３２】
このように、本実施の形態では、ＩＴ資産が配置される設備にＲＦＩＤタグを取付け、当該ＲＦＩＤタグから位置情報を読み取ることで、固定資産情報、Ｓ／Ｗ資産情報とともに位置情報を用いてＩＴ資産を管理することができる。
【００３３】
なお、図８では、固定資産情報及びＳ／Ｗ資産情報を実施の形態１の手順にて取得することとしたが、固定資産情報及びＳ／Ｗ資産情報を実施の形態２の手順にて取得するようにしてもよい。
【００３４】
実施の形態４．
実施の形態１では、ＲＦＩＤタグ３０がＩＴ資産４０にＳ／Ｗ資産情報の出力を要求していたが、本実施の形態では、フラグを制御しながら資産管理用ＰＣ１０がＩＴ資産４０にＳ／Ｗ資産情報の出力を要求する例を説明する。
【００３５】
図９は、本実施の形態に係る固定資産情報格納メモリ３３に格納される情報の例を示す。
固定資産番号、タグＩＤ、実施フラグは図５に示したものと同様である。
出力要求フラグは、資産管理用ＰＣ１０がＩＴ資産４０にＳ／Ｗ資産情報の出力を要求するフラグである。
読み込み可能フラグは、ＩＴ資産４０がＳ／Ｗ資産情報をＲＦＩＤタグ３０に出力したことを通知するためのフラグである。
【００３６】
本実施の形態では、図１０に示すように、資産管理用ＰＣ１０のＩＴ資産管理部１２がＲＦＩＤリーダ／ライタ制御部１３を介してＲＦＩＤリーダ／ライタ装置２０を制御して、ＲＦＩＤタグ３０に対してＳ／Ｗ資産情報の出力要求を送信して（Ｓ１０）、ＲＦＩＤタグ３０の固定資産情報格納メモリ３３に設けられている出力要求フラグをオンにする（Ｓ３２）。
【００３７】
ＩＴ資産４０のＳ／Ｗ資産管理部４１は一定周期ごとに固定資産情報格納メモリ３３の出力要求フラグの値を確認しており、出力要求フラグがオンになっていれば、Ｓ／Ｗ資産情報格納ＤＢ４２に格納されているＳ／Ｗ資産情報をＲＦＩＤタグ３０に出力するとともに（Ｓ４０）、固定資産情報格納メモリ３３の読み込み可能フラグの値をオンに書き換える（Ｓ３３）。
ＲＦＩＤタグ３０では、ＩＴ資産４０から出力されたＳ／Ｗ資産情報をＳ／Ｗ資産情報格納メモリ３２に格納する。
【００３８】
資産管理用ＰＣ１０では、出力要求フラグのオン設定後に、一定周期ごとに読み込み可能フラグの値を確認し、読み込み可能フラグがオンになっていることを検出した場合に、固定資産情報とＳ／Ｗ資産情報の送信要求をＲＦＩＤタグ３０に対して送信する（Ｓ１２）。
ＲＦＩＤタグ３０では、固定資産情報格納メモリ３３に予め格納している固定資産情報と、Ｓ／Ｗ資産情報格納メモリ３２に格納しているＳ／Ｗ資産情報を送信する（Ｓ３１）。
資産管理用ＰＣ１０では、固定資産情報とＳ／Ｗ資産情報とを受信し、また、出力要求フラグ及び読み込み可能フラグをオフにし、以降は実施の形態１と同様の処理を行う。
【００３９】
このように、フラグ値の制御によっても、固定資産情報とＳ／Ｗ資産情報を合わせて読み込むことができ、固定資産情報とＳ／Ｗ資産情報を正しく対応付けることができる。
【００４０】
実施の形態５．
実施の形態３では、ＩＴ資産４０からＲＦＩＤタグ３０にＳ／Ｗ資産情報を一度に出力する例を示したが、本実施の形態では、Ｓ／Ｗ資産情報の一部を構成する部分Ｓ／Ｗ資産情報（部分リソース情報）を複数回に分けてＩＴ資産４０からＲＦＩＤタグ３０に出力する例を説明する。
【００４１】
図１１は、本実施の形態に係る固定資産情報格納メモリ３３に格納される情報の例を示す。
固定資産番号、タグＩＤ、実施フラグは図５に示したものと同様である。
また、出力要求フラグ及び読み込み可能フラグは図９に示したものと同様である。
完了フラグは、最後の部分Ｓ／Ｗ資産情報が出力されたこと、すなわち、Ｓ／Ｗ資産情報の全体の出力が完了したことを通知するためのフラグである。
【００４２】
本実施の形態では、資産管理用ＰＣ１０のＩＴ資産管理部１２がＲＦＩＤリーダ／ライタ制御部１３を介してＲＦＩＤリーダ／ライタ装置２０を制御して、ＲＦＩＤタグ３０に対してＳ／Ｗ資産情報の出力要求を送信して、ＲＦＩＤタグ３０の固定資産情報格納メモリ３３に設けられている出力要求フラグをオンにする。
【００４３】
ＩＴ資産４０のＳ／Ｗ資産管理部４１は一定周期ごとに固定資産情報格納メモリ３３の出力要求フラグと読み込み可能フラグの値を確認しており、出力要求フラグがオンであり読込可能フラグがオフであれば、Ｓ／Ｗ資産情報格納ＤＢ４２に格納されているＳ／Ｗ資産情報を分割し、Ｓ／Ｗ資産情報の一部を構成する部分Ｓ／Ｗ資産情報をＲＦＩＤタグ３０に出力するとともに、固定資産情報格納メモリ３３の読み込み可能フラグの値をオンに書き換える。
ＲＦＩＤタグ３０では、ＩＴ資産４０から出力された部分Ｓ／Ｗ資産情報をＳ／Ｗ資産情報格納メモリ３２に格納する。
なお、最後の部分Ｓ／Ｗ資産情報でない場合は、ＩＴ資産４０は、完了フラグはオフのままとする。
【００４４】
資産管理用ＰＣ１０では、出力要求フラグのオン設定後に、一定周期ごとに読み込み可能フラグと完了フラグの値を確認し、読み込み可能フラグがオンになっていることを検出した場合に、固定資産情報と部分Ｓ／Ｗ資産情報の送信要求をＲＦＩＤタグ３０に対して送信する。
ＲＦＩＤタグ３０では、固定資産情報格納メモリ３３に予め格納している固定資産情報と、Ｓ／Ｗ資産情報格納メモリ３２に格納している部分Ｓ／Ｗ資産情報を送信する。
資産管理用ＰＣ１０では、固定資産情報と部分Ｓ／Ｗ資産情報とを受信し、また、完了フラグがオフの場合は、後続の部分Ｓ／Ｗ資産情報が存在するので、読み込み可能フラグをオフにするとともに出力要求フラグはオンのままとする。
【００４５】
ＩＴ資産４０のＳ／Ｗ資産管理部４１は、出力要求フラグがオンであり読込可能フラグがオフであることを検出し、次の部分Ｓ／Ｗ資産情報をＲＦＩＤタグ３０に出力するとともに、固定資産情報格納メモリ３３の読み込み可能フラグの値をオンに書き換える。ＲＦＩＤタグ３０では、ＩＴ資産４０から出力された部分Ｓ／Ｗ資産情報をＳ／Ｗ資産情報格納メモリ３２に格納する。
なお、最後の部分Ｓ／Ｗ資産情報であれば、ＩＴ資産４０は、完了フラグをオンにする。
【００４６】
資産管理用ＰＣ１０では、読み込み可能フラグがオンになっていることを検出し、部分Ｓ／Ｗ資産情報の送信要求をＲＦＩＤタグ３０に対して送信する。
ＲＦＩＤタグ３０では、Ｓ／Ｗ資産情報格納メモリ３２に格納している部分Ｓ／Ｗ資産情報を送信する。
資産管理用ＰＣ１０では、部分Ｓ／Ｗ資産情報を受信し、また、完了フラグがオンであれば、全ての部分Ｓ／Ｗ資産情報の受信が完了したので、出力要求フラグ、読み込み可能フラグ及び完了フラグを全てオフにする。
この段階で、Ｓ／Ｗ資産情報を取得できたので、資産管理用ＰＣ１０は、実施の形態１と同様に、固定資産情報とＳ／Ｗ資産情報をＩＴ資産管理サーバ５０に送信する。
【００４７】
このように、Ｓ／Ｗ資産情報を分割して送信する場合であっても、固定資産情報とＳ／Ｗ資産情報を正しく対応付けることができる。
【００４８】
実施の形態６．
実施の形態１〜５では、資産管理用ＰＣ１０が、固定資産情報及びＳ／Ｗ資産情報の両者を読み込み、固定資産情報及びＳ／Ｗ資産情報の両者をＩＴ資産管理サーバ５０に送信するものであったが、本実施の形態では、固定資産情報は資産管理用ＰＣ１０が読み込んでＩＴ資産管理サーバ５０に送信し、Ｓ／Ｗ資産情報はＩＴ資産４０がＩＴ資産管理サーバ５０に送信する例を説明する。
【００４９】
図１２は、本実施の形態に係る資産管理システムの構成例を示す。
資産管理用ＰＣ１０、ＲＦＩＤリーダ／ライタ装置２０、ＲＦＩＤタグ３０、ＩＴ資産管理サーバ５０及びネットワーク６０は図１に示したものと同様である。
本実施の形態では、ＩＴ資産４０に、ネットワーク６０を介してＩＴ資産管理サーバ５０と通信を行うネットワーク通信部４４が追加されている。
【００５０】
図１３は、本実施の形態に係る固定資産情報格納メモリ３３に格納される情報の例を示す。
固定資産番号、タグＩＤ、実施フラグは図５に示したものと同様である。
ネットワーク送信指示フラグは、資産管理用ＰＣ１０がＩＴ資産４０に対してＳ／Ｗ資産情報をＩＴ資産管理サーバ５０に送信するよう指示するフラグである。
【００５１】
本実施の形態では、図１４に示すように、資産管理用ＰＣ１０のＩＴ資産管理部１２がＲＦＩＤリーダ／ライタ制御部１３を介してＲＦＩＤリーダ／ライタ装置２０を制御して、ＲＦＩＤタグ３０に対して固定資産情報の出力要求とともにネットワーク送信指示フラグをオンにする旨の指示を送信して（Ｓ１０）、ＲＦＩＤタグ３０の固定資産情報格納メモリ３３に設けられているネットワーク送信指示フラグをオンにする（Ｓ３４）。
【００５２】
ＲＦＩＤタグ３０では、実施の形態１と同様に、固定資産情報格納メモリ３３に格納されている固定資産情報を資産管理用ＰＣ１０に送信し（Ｓ３１）、資産管理用ＰＣ１０は受信した固定資産情報をネットワーク６０を介してＩＴ資産管理サーバ５０に送信する（Ｓ１１）。
【００５３】
一方、ＩＴ資産４０のＳ／Ｗ資産管理部４１は一定周期ごとに固定資産情報格納メモリ３３のネットワーク送信指示フラグの値を確認しており、ネットワーク送信指示フラグがオンになっていれば、Ｓ／Ｗ資産情報格納ＤＢ４２に格納されているＳ／Ｗ資産情報とＩＴ資産４０の固定資産番号（固定資産情報に含まれる固定資産番号と同じもの）をネットワーク通信部４４からネットワーク６０を介してＩＴ資産管理サーバ５０に送信する（Ｓ４０）。
【００５４】
ＩＴ資産管理サーバ５０では、資産管理用ＰＣ１０から固定資産情報を受信し、ＩＴ資産４０からＳ／Ｗ資産情報と固定資産番号を受信し、固定資産情報に基づき固定資産情報ＤＢ５１の内容を更新するとともに、Ｓ／Ｗ資産情報を固定資産番号と対応付けてＳ／Ｗ資産情報ＤＢ５２に格納する（Ｓ５０）。
【００５５】
このように、本実施の形態では、Ｓ／Ｗ資産情報はＩＴ資産４０がＩＴ資産管理サーバ５０に送信するため、ＲＦＩＤタグ３０は固定資産情報のみを記憶することになり、記憶容量の少ないＲＦＩＤタグ３０を用いることができる。
【００５６】
なお、本実施の形態においても、実施の形態３と同様に、資産管理用ＰＣ１０はラックに取付けられているＲＦＩＤタグからラックの位置情報を読み取り、固定資産情報とともにラックの位置情報をＩＴ資産管理サーバ５０に送信するようにしてもよい。
【００５７】
以上、本実施の形態では、ＩＴ資産が、棚卸し実施時にＲＦＩＤタグ経由で棚卸し実施の命令を受け取りＬＡＮ・無線ＬＡＮ経由などでＳ／Ｗ資産棚卸しを行うことを説明した。
【００５８】
最後に、実施の形態１〜６に示した資産管理用ＰＣ１０、ＩＴ資産４０及びＩＴ資産管理サーバ５０のハードウェア構成例について説明する。
図１５は、実施の形態１〜６に示す資産管理用ＰＣ１０、ＩＴ資産４０及びＩＴ資産管理サーバ５０のハードウェア資源の一例を示す図である。
なお、図１５の構成は、あくまでも資産管理用ＰＣ１０、ＩＴ資産４０及びＩＴ資産管理サーバ５０のハードウェア構成の一例を示すものであり、資産管理用ＰＣ１０、ＩＴ資産４０及びＩＴ資産管理サーバ５０のハードウェア構成は図１５に記載の構成に限らず、他の構成であってもよい。
【００５９】
図１５において、資産管理用ＰＣ１０、ＩＴ資産４０及びＩＴ資産管理サーバ５０は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。
ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーボード９０２、マウス９０３、磁気ディスク装置９２０と接続され、これらのハードウェアデバイスを制御する。
更に、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置９０６、スキャナ装置９０７と接続していてもよい。また、磁気ディスク装置９２０の代わりに、光ディスク装置、メモリカード（登録商標）読み書き装置などの記憶装置でもよい。
また、資産管理用ＰＣ１０では、ＣＰＵ９１１はＲＦＩＤリーダ／ライタ装置２０に接続され、ＩＴ資産４０では、ＣＰＵ９１１はＲＦＩＤタグ３０に接続される。
【００６０】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。
通信ボード９１５、キーボード９０２、マウス９０３、スキャナ装置９０７、ＦＤＤ９０４などは、入力装置の一例である。
また、通信ボード９１５、表示装置９０１、プリンタ装置９０６などは、出力装置の一例である。
【００６１】
通信ボード９１５は、図１、図１２に示すように、ネットワークに接続されている。例えば、通信ボード９１５は、ＬＡＮ（ローカルエリアネットワーク）、インターネット、ＷＡＮ（ワイドエリアネットワーク）などに接続されていても構わない。
【００６２】
磁気ディスク装置９２０には、オペレーティングシステム９２１（ＯＳ）、ウィンドウシステム９２２、プログラム群９２３、ファイル群９２４が記憶されている。
プログラム群９２３のプログラムは、ＣＰＵ９１１がオペレーティングシステム９２１、ウィンドウシステム９２２を利用しながら実行する。
【００６３】
また、ＲＡＭ９１４には、ＣＰＵ９１１に実行させるオペレーティングシステム９２１のプログラムやアプリケーションプログラムの少なくとも一部が一時的に格納される。
また、ＲＡＭ９１４には、ＣＰＵ９１１による処理に必要な各種データが格納される。
【００６４】
また、ＲＯＭ９１３には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置９２０にはブートプログラムが格納されている。
資産管理用ＰＣ１０、ＩＴ資産４０及びＩＴ資産管理サーバ５０の起動時には、ＲＯＭ９１３のＢＩＯＳプログラム及び磁気ディスク装置９２０のブートプログラムが実行され、ＢＩＯＳプログラム及びブートプログラムによりオペレーティングシステム９２１が起動される。
【００６５】
上記プログラム群９２３には、実施の形態１〜６の説明において「〜部」として説明している機能を実行するプログラムが記憶されている。プログラムは、ＣＰＵ９１１により読み出され実行される。
【００６６】
ファイル群９２４には、実施の形態１〜６の説明において、「〜の判断」、「〜の比較」、「〜の評価」、「〜の更新」、「〜の設定」、「〜の登録」、「〜の選択」、「〜の読み出し」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・印刷・表示などのＣＰＵの動作に用いられる。
抽出・検索・参照・比較・演算・計算・処理・編集・出力・印刷・表示のＣＰＵの動作の間、情報やデータや信号値や変数値やパラメータは、メインメモリ、レジスタ、キャッシュメモリ、バッファメモリ等に一時的に記憶される。
また、実施の形態１〜６で説明しているフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。
【００６７】
また、実施の形態１〜６の説明において「〜部」として説明しているものは、「〜回路」、「〜装置」、「〜機器」であってもよく、また、「〜ステップ」、「〜手順」、「〜処理」であってもよい。すなわち、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、実施の形態１〜６の「〜部」としてコンピュータを機能させるものである。あるいは、実施の形態１〜６の「〜部」の手順や方法をコンピュータに実行させるものである。
【００６８】
このように、実施の形態１〜６に示す資産管理用ＰＣ１０、ＩＴ資産４０及びＩＴ資産管理サーバ５０は、処理装置たるＣＰＵ、記憶装置たるメモリ、磁気ディスク等、入力装置たるキーボード、マウス、通信ボード等、出力装置たる表示装置、通信ボード等を備えるコンピュータであり、上記したように「〜部」として示された機能をこれら処理装置、記憶装置、入力装置、出力装置を用いて実現するものである。
【図面の簡単な説明】
【００６９】
【図１】実施の形態１に係る資産管理システムの構成例を示す図。
【図２】実施の形態１に係る資産管理システムにおける処理例を示すフローチャート図。
【図３】実施の形態１に係る固定資産情報ＤＢにおける情報の例を示す図。
【図４】実施の形態１に係るＳ／Ｗ資産情報格納メモリにおける情報の例を示す図。
【図５】実施の形態１に係る固定資産情報格納メモリにおける情報の例を示す図。
【図６】実施の形態２に係る資産管理システムにおける処理例を示すフローチャート図。
【図７】実施の形態３に係る資産管理システムの構成例を示す図。
【図８】実施の形態３に係る資産管理システムにおける処理例を示すフローチャート図。
【図９】実施の形態４に係る固定資産情報格納メモリにおける情報の例を示す図。
【図１０】実施の形態４に係る資産管理システムにおける処理例を示すフローチャート図。
【図１１】実施の形態５に係る固定資産情報格納メモリにおける情報の例を示す図。
【図１２】実施の形態６に係る資産管理システムの構成例を示す図。
【図１３】実施の形態６に係る固定資産情報格納メモリにおける情報の例を示す図。
【図１４】実施の形態６に係る資産管理システムにおける処理例を示すフローチャート図。
【図１５】実施の形態１〜６に係る資産管理用ＰＣ、ＩＴ資産及びＩＴ資産管理サーバのハードウェア構成例を示す図。
【符号の説明】
【００７０】
１０  資産管理用ＰＣ、１１  表示部、１２  ＩＴ資産管理部、１３  ＲＦＩＤリーダ／ライタ制御部、１４  情報記憶部、１５  ネットワーク通信部、２０  ＲＦＩＤリーダ／ライタ装置、３０  ＲＦＩＤタグ、３１  ＲＦＩＤ通信部、３２  Ｓ／Ｗ資産情報格納メモリ、３３  固定資産情報格納メモリ、３４  ＩＴ資産通信部、４０  ＩＴ資産、４１  Ｓ／Ｗ資産管理部、４２  Ｓ／Ｗ資産情報格納ＤＢ、４３  ＲＦＩＤタグ通信部、５０  ＩＴ資産管理サーバ、５１  固定資産情報ＤＢ、５２  Ｓ／Ｗ資産情報ＤＢ、５３  通信部、５４  位置情報ＤＢ、６０  ネットワーク。
【図１】
2009199210.tif 000003
【図２】
2009199210.tif 000004
【図３】
2009199210.tif 000005
【図４】
2009199210.tif 000006
【図５】
2009199210.tif 000007
【図６】
2009199210.tif 000008
【図７】
2009199210.tif 000009
【図８】
2009199210.tif 000010
【図９】
2009199210.tif 000011
【図１０】
2009199210.tif 000012
【図１１】
2009199210.tif 000013
【図１２】
2009199210.tif 000014
【図１３】
2009199210.tif 000015
【図１４】
2009199210.tif 000016
【図１５】
2009199210.tif 000017